(57)【要約】  本発明は、全組成物を基準として、（ａ）１２〜２１重量％のジポリヒドロキシステアリン酸ポリグリセリル−２、（ｂ）４〜７重量％のエトキシル化された水素化ヒマシ油、（ｃ）２５〜３５重量％の鉱油、（ｄ）２０〜３０重量％の他の油性物質、（ｅ）３〜５重量％のヒドロトロープ、（ｆ）３〜４重量％の金属石鹸および（ｇ）１０〜３０重量％の水を含有するＷ／Ｏエマルションを提供する。【特許請求の範囲】
【請求項１】
全組成物を基準として、
（ａ）１２〜２１重量％のジポリヒドロキシステアリン酸ポリグリセリル−２、
（ｂ）４〜７重量％のエトキシル化された水素化ヒマシ油、
（ｃ）２５〜３５重量％の鉱油、
（ｄ）２０〜３０重量％の他の油性物質、
（ｅ）３〜５重量％のヒドロトロープ、
（ｆ）３〜４重量％の金属石鹸、および
（ｇ）１０〜３０重量％の水
を含有するＷ／Ｏエマルション。
【請求項２】
水素化ヒマシ油１モルあたりエチレンオキシド７モルのエチレンオキシド付加物が成分（ｂ）として存在することを特徴とする、請求項１に記載のエマルション。
【請求項３】
乳化剤（ａ）および（ｂ）の全量は、全組成物を基準として１５〜２５重量％であることを特徴とする、請求項１および２のいずれかに記載のエマルション。
【請求項４】
前記成分の重量比（ａ：ｂ）は（２．５〜３．５）：１の範囲で変化することを特徴とする、請求項１〜３のいずれかに記載のエマルション。
【請求項５】
ヒドロトロープ（ｅ）はグリセロール、ブチレングリコールまたはプロピレングリコールから選択されることを特徴とする、請求項１〜４のいずれかに記載のエマルション。
【請求項６】
金属石鹸はステアリン酸マグネシウムおよび／またはステアリン酸アルミニウムであることを特徴とする、請求項１〜５のいずれかに記載のエマルション。
【請求項７】
少なくとも１つの消炎活性物質がさらに存在することを特徴とする、請求項１〜６のいずれかに記載のエマルション。
【請求項８】
２３℃で５００〜５０００ｍＰａ・ｓ、好適には５００〜３０００ｍＰａ・ｓ、とりわけ１０００〜２０００ｍＰａ・ｓの粘度を有することを特徴とする、請求項１〜７のいずれかに記載のエマルション。
【請求項９】
紙および不織布を被覆した際、紙／不織布の白色度の減少は４％以下であることを特徴とする、請求項１〜８のいずれかに記載のエマルション。
【発明の詳細な説明】
【技術分野】
【０００１】
本発明は、日用品用および衛生用ペーパータオルを含浸および湿潤するために用いることができる特定のエマルションに関する。
【背景技術】
【０００２】
一般用語「紙」は約３０００の異なった種類および物品を意味すると理解され、これらは場合によっては性質および使用の分野がかなり異なる。紙の製造のために、多くの添加剤が必要とされ、そのうち、充填材（すなわち白亜またはカオリン）およびバインダー（例えばデンプン）はもっとも重要である。比較的、人間の皮膚と密接に接触するティッシュペーパーおよび衛生紙の分野にとって、繊維の慎重な選択、および特に高比率の新しい砕木またはセルロースによって紙に通常付与される快適な柔軟感は特に必要である。しかしながら、製紙の費用効果に対して、また環境保護の観点から、低品質な古紙をできるだけ高比率で用いることも望ましい。しかしながら、このことは、紙の柔軟感にかなりの程度悪影響を及ぼし、使用者にとって煩わしく、また、特に頻繁な使用により皮膚の炎症が生じることもある。
【０００３】
このような状況下、過去、快適な柔軟感を生じさせるために、含浸、被覆または他の表面処理によってティッシュペーパーを改良する試みが絶えることはなかった。この目的のため、第１に紙への適用が容易で、第２に紙の構造に悪影響を与えることがない特別なローションおよびエマルションを開発しなければならない。柔軟感を向上させるには、非イオン性界面活性剤または非イオン性界面活性剤およびアニオン性界面活性剤の組み合わせがしばしば用いられる。ポリシロキサンおよびカチオン性ポリマーもまたこの目的に使用される。
【０００４】
国際特許出願ＷＯ９５／３５４１１は、２０〜８０重量％の無水皮膚軟化剤（鉱油、脂肪酸エステル、脂肪アルコールエトキシレート、脂肪酸エトキシレート、脂肪アルコールおよびこれらの混合物）、５〜９５重量％の皮膚軟化剤固定化剤（いずれの場合にも脂肪基中に１２〜２２個の炭素原子を有する脂肪アルコール、脂肪酸または脂肪アルコールエトキシレート）および好ましくは４〜２０のＨＬＢ値を有する１〜５０重量％の界面活性剤を含有する仕上げ処理組成物で被覆されたティッシュペーパーに関する。この文献中に言及された実施例は全て、皮膚軟化剤としてワセリンを含有する。国際特許出願ＷＯ９５／３５４１２には、（ａ）鉱油、（ｂ）脂肪アルコールまたは脂肪酸、および（ｃ）脂肪アルコールエトキシレートの無水混合物を軟化剤として用いる同様のティッシュペーパーが開示されている。国際特許出願ＷＯ９５／１６８２４は、鉱油、脂肪アルコールエトキシレートおよび非イオン性界面活性剤（ソルビタンエステル、グルカミド）を含有するティッシュペーパー用の仕上げ処理組成物に関する。更に、国際特許出願ＷＯ９７／３０２１６（Ｋａｙｓｅｒｓｂｅｒｇ）には、長鎖飽和脂肪アルコールおよび合計少なくとも２４個の炭素原子を有するワックスエステルに基づくペーパーティッシュ用の液体仕上げ処理組成物が記載され、該仕上げ処理組成物は非常に高い比率の水を含有する。しかし、使用の観点から、処理紙の柔軟感、加工挙動および感触は、未だ改良する余地がある。ＤＥ１０１０２５００Ａ１は、（ａ）ポリオール  ポリ−１２−ヒドロキシステアレート、（ｂ）グリセリド、炭化水素、シリコーン油、ジアルキルエーテルおよびジアルキルカーボネートまたは任意の所望のこれらの混合物からなる群から選択される油性物質を含有するローションに関する。これらのエマルションおよびローションは未だ、安定性に対して改良する余地がある。特に、色変化させずに植物抽出物を組み込むことができない場合が多く、これは被覆される紙の白色度に不利な影響を及ぼす。
【先行技術文献】
【特許文献】
【０００５】
【特許文献１】国際特許出願第９５／３５４１１号パンフレット
【特許文献２】国際特許出願第９５／３５４１２号パンフレット
【特許文献３】国際特許出願第９５／１６８２４号パンフレット
【特許文献４】国際特許出願第９７／３０２１６号パンフレット
【特許文献５】独国特許出願公開第１０１０２５００号明細書
【発明の概要】
【発明が解決しようとする課題】
【０００６】
本発明の目的は、日用品用ドライペーパー、特にティッシュペーパーを用いて、安定性を有するエマルションを提供することであるが、紙の白色度を著しく減少させることなく強化ティッシュを被覆することもできる。該エマルションは、優れたケア特性を有するであろうし、感覚特性に関して従来のスキンケア用処方物と類似するであろう。本発明のさらなる態様は、古紙の比率が高いティッシュペーパーでさえ適合する調製物を提供することである。同時に、ごく容易に生物分解できる助剤が用いられるであろうし、該調製物は容易にティッシュ中に浸透し、均一にその中で分散し、比較的低い含水率および高濃縮形態であるにも拘わらず容易に処理できる低い粘度を有するであろう。
【課題を解決するための手段】
【０００７】
驚くべきことに、特定の乳化剤、高い比率の鉱油および規定の含水量に基づく製剤は、紙製品の快適な柔軟感を確実とするだけでなく、先行技術の既知の被覆ローション／エマルションよりも安定性であることを見出した。内色素を有する植物抽出物を組み込んでも、紙の白色度は本発明によるローションで被覆しても顕著に減少しない。
【発明を実施するための形態】
【０００８】
かかる状況下、本発明は、全組成物を基準として
（ａ）１２〜２１重量％のジポリヒドロキシステアリン酸ポリグリセリル−２
（ｂ）４〜７重量％のエトキシル化された水素化ヒマシ油
（ｃ）２５〜３５重量％の鉱油
（ｄ）２０〜３０重量％の他の油性物質
（ｅ）３〜５重量％のヒドロトロープ
（ｆ）３〜４重量％の金属石鹸、および
（ｇ）１０〜３０重量％の水
を含有するＷ／Ｏエマルションに関する。
【０００９】
本発明によるエマルションは、液体であって、２０℃でポンプ輸送性であるため、極めて容易に処理することができる。高比率の油に起因して、該エマルションは、ケア特性が良好であり、被覆に用いる先行技術の同様のエマルションよりも実質的により安定性である。これらは、被覆される紙物質の白色度への影響が少ないことで区別され、皮膚上で良好な感覚の滑らかさを生み出す。該エマルションの成分を互いに正確に適合させなければならない；好適には、本発明によるエマルションは、原料に関する副生成物のほかにはさらなる成分を含有せず、すなわち、該エマルションは規定された量で成分（ａ）〜（ｇ）を実質的に含んでなる。安定性の要件を充足する規定された比率での混合物のみが内色素を有する活性物質、例えばハーブのカモミールなどを、被覆紙の白色度の顕しい変化を生じさせずに利用できることを見出した。例えば、Ｃｏｇｎｉｓ  Ｄｅｕｔｓｃｈｌａｎｄ  ＧｍｂＨ  ａｎｄ  Ｃｏ．ＫＧ製のＤｅｈｙｍｕｌｓ（登録商標）ＰＧＰＨを成分（ａ）として用いてよい。紙と不織布を被覆した際、紙／不織布の白色度の減少は４％以下、特に３．５％以下であることを特徴とするエマルションは、本発明によれば特に好適である。白色度は、方法ＤＩＮ  ＥＮ １２６２５−７、ポイント７．３．２、色（Ｄ６５／１０°）によって測定され、未被覆／未含浸の紙の白色度は１００％に相当する。
【００１０】
好適な実施態様においては、エマルションは２３℃で５００〜５０００ｍＰａ・ｓの粘度を有し、５００〜３０００ｍＰａ・ｓ、特に１０００〜２０００ｍＰａ・ｓの範囲が好適である（Ｂｒｏｏｋｆｉｅｌｄ  ＲＶＦ、スピンドル５、１０ｒｐｍ、２３℃）。
【００１１】
エマルションは、全組成物を基準として３０重量％以下の割合の水を含有する。２５重量％未満、特に好適には２０重量％未満の含水量は、本発明に従えば好適である。乳化剤（ａ）および（ｂ）の全量は、全組成物を基準として１６〜２８重量％に変化し得、好適には１５〜２５重量％である。本発明に従えば、成分の重量比（ａ：ｂ）が範囲（２．５〜３．５）：１で変化する場合、好適である。水素化ヒマシ油１モルあたりエチレンオキシド７モルのエチレンオキシド付加物は成分（ｂ）として好適である。このような生成物は、例えば、Ｃｏｇｎｉｓ  Ｄｅｕｔｓｃｈｌａｎｄ  ＧｍｂＨ  ＆  Ｃｏ．ＫＧによって市販されているＤｅｈｙｍｕｌｓ（登録商標）  ＨＲＥ ７である。
【００１２】
油性物質：成分（ｃ）および（ｄ）
油性物質（ｃ）および（ｄ）の全量は、４５重量％から６５重量％まで変化する。好適な実施態様においては、油相に基づく鉱油の割合は、成分（ｃ）および（ｄ）の全量を基準として少なくとも４５重量％、好適には少なくとも５０重量％、とりわけ少なくとも５５重量％である。油相は、できるだけ低い粘度を有すべきであり、すなわち、２〜２３０ｍＰａ・ｓの粘度を有する油性物質は、とりわけ油性物質（ｄ）として好適である。以下の鉱油は成分（ｃ）として適当である：ホワイトオイルＰｈａｒｍａ  ４０、低粘性パラフィン油、高粘性パラフィン油、液体パラフィン、パラフィヌムパーリキヂウム（Ｐａｒａｆｆｉｎｕｍ  ｐｅｒｌｉｑｉｄｕｍ  ）、パラフィヌムサブリキヂウム（Ｐａｒａｆｆｉｎｕｍ  ｓｕｂｌｉｑｕｉｄｕｍ）。
【００１３】
例えば、下記の化合物のクラスは他の油性物質（成分ｄ）として適当である：６〜１８個、好適には８〜１０個の炭素原子を有する脂肪アルコールをベースとするゲルベアルコール、例えば２−エチルヘキサノールまたは２−オクチルドデカノール；直鎖状または分枝状で飽和または不飽和のＣ６〜Ｃ２４脂肪酸と直鎖または分枝状で飽和または不飽和のＣ６〜Ｃ２４アルコールとのエステル。ラウリン酸ヘキシル、イソステアリン酸ミリスチル、オレイン酸ミリスチル、イソステアリン酸セチル、オレイン酸セチル、イソステアリン酸ステアリル、オレイン酸ステアリル、ミリスチン酸イソステアリル、パルミチン酸イソステアリル、ステアリン酸イソステアリル、イソステアリン酸イソステアリル、オレイン酸イソステアリル、ミリスチン酸オレイル、イソステアリン酸オレイル、オレイン酸オレイル、エルカ酸オレイル、イソステアリン酸エルシル、オレイン酸エルシル、ココカプリレート／カプレートを例として挙げることができる。さらなる適当なエステルは、例えば、Ｃ１８〜Ｃ３８アルキルヒドロキシカルボン酸と直鎖または分岐状の飽和または不飽和Ｃ６〜Ｃ２２脂肪アルコールとのエステル、直鎖または分岐状で飽和または不飽和の脂肪酸と多価アルコール（例えばプロピレングリコール、ダイマージオールまたはトリマートリオールなど）および／またはゲルベアルコールとのエステル、トリグリセリドまたはトリグリセリド混合物、液体のモノ−、ジ−およびトリグリセリド混合物、Ｃ６〜Ｃ２２脂肪アルコールおよび／またはゲルベアルコールと芳香族カルボン酸、特に安息香酸とのエステル（例えばＦｉｎｓｏｌｖ（登録商標）  ＴＮ）、Ｃ２〜Ｃ１２ジカルボン酸と、直鎖または分岐状で飽和または不飽和の１〜２２個の炭素原子を有するアルコールまたは２〜１０個の炭素原子および２〜６個のヒドロキシル基を有するポリオールとのエステルである。植物油、トリグリセリド混合物、置換シクロヘキサン、対称または非対称の直鎖ジアルキルカーボネート（例えばＣｅｔｉｏｌ（登録商標）  ＣＣ）、６〜１８個、好ましくは８〜１０個の炭素原子を有する脂肪アルコールをベースとするゲルベカーボネート、アルキル基１個につき６〜２２個の炭素原子を有する直鎖または分岐状で対称または非対称のジアルキルエーテル、例えばジ−ｎ−オクチルエーテル（Ｃｅｔｉｏｌ（登録商標）  ＯＥ）など、エポキシ化脂肪酸エステルとポリオールとの開環生成物、炭化水素、例えばパラフィンまたは鉱油、オリゴ−またはポリ−α−オレフィンも適当である。ジアルキルカーボネートおよびジアルキルエーテルは、対称でも非対称でも、分岐状でも直鎖状でも、飽和でも不飽和でもよく、先行技術から十分によく知られている反応によって製造することができる。適当なシリコン化合物は、例えばジメチルポリシロキサン、メチルフェニルポリシロキサン、環状シリコン（シクロメチコン）およびアミノ−、脂肪酸−、アルコール−、ポリエーテル−、エポキシ−、フッ素−、グリセリド−および／またはアルキル−変性シリコン化合物である。シメチコンはさらに適当である。
【００１４】
とりわけ、少なくとも２５０ｍｍ２／１０分の拡散値を有する油（Ｕ．Ｚｅｉｄｌｅｒ：Ｕｅｂｅｒ  ｄａｓ  Ｓｐｒｅｉｔｅｎ  ｖｏｎ  Ｌｉｐｉｄｅｎ  ａｕｆ  ｄｅｒ  ｈａｕｔ、Ｆｅｔｔｅ−Ｓｅｉｆｅｎ−Ａｎｓｔｒｉｃｈｍｉｔｔｅｌ［Ｏｎ  ｔｈｅ  ｓｐｒｅａｄｉｎｇ  ｏｆ  ｌｉｐｉｄｓ  ｏｎ  ｔｈｅ  ｓｋｉｎ、ｆａｔｓ−ｓｏａｐｓ−ｃｏａｔｉｎｇ  ｍａｔｅｒｉａｌｓ］、Ｎｏ．１０、第４０３〜４０８頁、１９８５年）、とりわけ上記の拡散値を有するエステル油、ジアルキルエーテル、ゲルベアルコールまたはグリセリドは成分（ｄ）として好適である。これらには、例えばアジピン酸ジブチル、パルミチン酸イソプロピル、ラウリン酸ヘキシル、ステアリン酸エチルヘキシル、オレイン酸オレイル、エルカ酸オレイルまたは植物油が含まれる。
【００１５】
ヒドロトロープ（ｅ）
本発明によるエマルションは、成分（ｅ）として、感覚特性および組成物の安定性の向上に寄与し、可溶化特性を有する少なくとも１つのヒドロトロープを含有する。これはエマルションの含水量を紙中で安定に保つ働きをする。
【００１６】
本発明によれば、液体ポリオールおよびポリオール誘導体、例えば、グリセロール、ジグリセロール、トリグリセロール、エチレングリコール、プロピレングリコール、ブチレングリコール、１，２，６−ヘキサントリオールおよび液体ポリエチレングリコールは、適当である。本発明によれば、グリセロール、ジグリセロールおよびトリグリセロールは好適である。本発明によれば、グリセロール、ブチレングリコールまたはプロピレングリコール、これらの中でもグリセロールは好適である。
【００１７】
金属石鹸（ｆ）
用語「金属石鹸」はあまり水溶性ではない脂肪酸の金属塩を意味すると当業者に理解される（ｃｆ．Ｒｏｅｍｐｐｓ  Ｃｈｅｍｉｅｌｅｘｉｋｏｎ［Ｒｏｅｍｐｐｓ  Ｃｈｅｍｉｓｔｒｙ  Ｌｅｘｉｋｏｎ］）。その油濃化特性に起因して、これらはエマルションの安定性に相乗的に寄与する。Ｃ１２〜Ｃ２４脂肪酸またはＣ１２〜Ｃ２４ヒドロキシ脂肪酸のカルシウム塩、マグネシウム塩、アルミニウム塩および亜鉛塩は通常適当である。本発明によれば、好適な金属石鹸はステアリン酸マグネシウムおよび／またはステアリン酸アルミニウムである。これらの構造形成に起因して、ステアリン酸アルミニウムは特に油相の濃化および安定化に適している。
【００１８】
消炎／抗炎症活性物質
本発明によるエマルジョンの好適な実施態様は、とりわけ炎症性皮膚プロセスまたは赤くなって擦り剥いた皮膚を和らげる働きをする少なくとも一つの消炎／抗炎症活性物質を含有する。消炎活性物質は通常、０．０１〜１０重量％、好ましくは０．０５〜５重量％、とりわけ０．０５〜３重量％の量で存在する。
【００１９】
本発明によれば、とりわけ、ビサボロール、アラントインおよびパンテノールおよびビサボロールが好適である。ビタミンおよびビタミン前駆体並びにタンパク質加水分解生成物も創傷治癒を促進し得る。
【００２０】
創傷治癒／消炎物質を相乗的に組み合わせてしばしば含有する植物抽出物も適当である。このような抽出物は通常、植物全体の抽出により得られる。しかし、個々の場合においては、専ら植物の花および／または葉から、抽出物を調製することも好適である。
【００２１】
本発明によれば、とりわけカモミールの抽出物、アロエ、マンサク、シナノキの花、セージおよびメリッサは適当である。
【実施例】
【００２２】
２つの処方物、本発明による処方物（実施例１）および比較処方物（比較例１）を、安定性および白色度に関して評価した。白色度は方法ＤＩＮ  ＥＮ  １２６２５−７、ポイント７．３．２、色（Ｄ６５／１０°）によって測定し、未被覆／未含浸の紙の白色度を１００％で評価した。％で白色度の減少を評価し、該減少が４％を越えることを許容しなかった。感覚特性は、１〜６の点数の原則に基づいて、訓練された者が評価した。
【００２３】
2010511754.tif 000002
【国際調査報告】
2010511754.tif 000003
2010511754.tif 000004
2010511754.tif 000005
2010511754.tif 000006
2010511754.tif 000007
2010511754.tif 000008